(57)【要約】      （修正有）【課題】３Ｄビデオを受信及び符号化するためのシステム及び方法が提供される。【解決手段】受信方法は、ＭＰＥＧ−２，４又はＨ．２６４規格において、二つのインタレースフィールドで符号化された現行ビデオフレームを伴うビットストリームを受け入れるステップ、現行フレームのトップフィールドを復号するステップ、現行フレームのボトムフィールドを復号するステップ、復号済みのトップ及びボトムフィールドを３Ｄフレーム画像として提示するステップを含む。一部の態様では、復号済みのトップ及びボトムフィールドをステレオビュー画像として提示する。他の態様では、補足エンハンスメント情報（ＳＥＩ）メッセージの受信、ディスプレイ機能の分析、手動選択、又はレシーバシステム構成といったトリガに応じて、２Ｄ選択コマンド１１２を受け入れる。その後、現行フレームのインタレースフィールドの一方のみが復号され、２Ｄフレーム画像が提示される。【選択図】図１
2010220221.tif 000002
【特許請求の範囲】
【請求項１】
三次元ビデオを受信する三次元ビデオ受信方法において、フィールド予測符号化されたビデオフレームのビットストリームを受けるステップと、前記ビットストリームから、同じビデオフレームを構成するトップフィールドとボトムフィールドのそれぞれを復号するステップとを含み、該ステップは、前記トップフィールド及びボトムフィールドの復号にそれぞれ同一又は別の参照フィールドを用い、前記トップフィールド及びボトムフィールドを三次元画像フレームとして復号することを特徴とする三次元ビデオ受信方法。
【請求項２】
前記ビットストリームは、Ｈ．２６４で符号化されたビットストリームであることを特徴とする請求項１記載の三次元ビデオ受信方法。
【請求項３】
前記復号済みのトップ及びボトムフィールドを三次元のフレーム画像として提示するステップを含んでなり、該ステップが前記復号済みのトップ及びボトムフィールドをステレオビュー画像として提示するステップを含むことを特徴とする請求項１記載の三次元ビデオ受信方法。
【請求項４】
補足エンハンスメント情報（ＳＥＩ）三次元コンテンツメッセージを前記現行ビデオフレームと共に受信するステップと、ディスプレイ機能を分析するステップと、該分析により非三次元ディスプレイ機能が検出された場合、前記現行フレームのインタレースフィールドの一方のみを復号するステップと、二次元フレーム画像を提示するステップとを更に含むことを特徴とする請求項１記載の三次元ビデオ受信方法。
【請求項５】
ディスプレイの機能を分析するステップと、該分析により非三次元ディスプレイ機能が検出された場合、前記現行フレームのインタレースフィールドの一方のみを復号するステップと、二次元フレーム画像を提示するステップと、を更に含むことを特徴とする請求項１記載の三次元ビデオ受信方法。
【請求項６】
二次元選択コマンドを受け入れるステップと、前記二次元選択コマンドに応じて、前記現行フレームのインタレースフィールドの一方のみを復号するステップと、二次元のフレーム画像を提示するステップと、を更に含むことを特徴とする請求項１記載の三次元ビデオ受信方法。
【請求項７】
二次元選択コマンドを受け入れるステップが、ＳＥＩメッセージの受信と、ディスプレイ機能の分析と、手動選択と、レシーバシステム構成とを含むグループから選択されたトリガに応じて、二次元選択コマンドを受け入れるステップを含むことを特徴とする請求項６記載の三次元ビデオ受信方法。
【請求項８】
前記復号済みの現行フレームのインタレースフィールドの一方のみを使用することに応じて、二次元のフレーム画像を提示するステップを更に含むことを特徴とする請求項１記載の三次元ビデオ受信方法。
【請求項９】
前記現行フレームを受け入れる前に、第一の符号化済みビデオフレームを受け入れるステップと、予測的な第一のフレームのトップフィールドを導くステップと、予測的な第一のフレームのボトムフィールドを導くステップとを更に含んでなり、
前記現行フレームのトップフィールドを復号するステップが、前記予測的な第一のフレームのトップフィールドに応じて、前記現行フレームのトップフィールドを復号するステップを含み、
現行フレームのボトムフィールドを復号するステップが、前記予測的な第一のフレームのボトムフィールドに応じて、前記現行フレームのボトムフィールドを復号するステップを含むことを特徴とする請求項１記載の三次元ビデオ受信方法。
【請求項１０】
前記現行フレームを受け入れる前に、第一の符号化済みビデオフレームを受け入れるステップと、予測的な第一のフレームの第一のフィールドを導くステップとを更に含んでなり、
前記現行フレームのトップフィールドを復号するステップが、前記予測的な第一のフレームの第一のフィールドに応じて、前記現行フレームのトップフィールドを復号するステップを含み、
前記現行フレームのボトムフィールドを復号するステップが、前記予測的な第一のフレームの第一のフィールドに応じて、前記現行フレームのボトムフィールドを復号するステップを含むことを特徴とする請求項１記載の三次元ビデオ受信方法。
【請求項１１】
予測的な第一のフレームの第一のフィールドを導くステップが、予測的な第一のフレームのトップフィールドを導くステップを含むことを特徴とする請求項１０記載の三次元ビデオ受信方法。
【請求項１２】
予測的な第一のフレームの第一のフィールドを導くステップが、予測的な第一のフレームのボトムフィールドを導くステップを含むことを特徴とする請求項１０記載の三次元ビデオ受信方法。
【請求項１３】
前記三次元画像フレームによる三次元画像の提示と同時に、前記復号済みの現行フレームのインタレースフィールドの一方を使用することに応じて、二次元画像を提示するステップを更に含むことを特徴とする請求項１記載の三次元ビデオ受信方法。
【請求項１４】
三次元ビデオを符号化する三次元ビデオ符号化方法において、三次元ビデオフレームを構成する第１の視点の画像をトップフィールドとして、第２の視点の画像をボトムフィールドとして、フィールド予測符号化を行うステップを含み、前記トップフィールドとボトムフィールドの符号化にそれぞれ同一又は別の参照フィールドを用いることを特徴とする三次元ビデオ符号化方法。
【請求項１５】
当該符号化方法は、Ｈ．２６４符号化であることを特徴とする請求項１４記載の三次元ビデオ符号化方法。
【請求項１６】
画像の第一のビュー及び画像の第二の三次元ビューを含む現行三次元ビデオ画像を受け入れるステップが、ステレオ画像の第一及び第二のビューを受け入れるステップを含むことを特徴とする請求項１４記載の三次元ビデオ符号化方法。
【請求項１７】
オプションの単一フィールド二次元復号化をトリガするために、補足エンハンスメント情報（ＳＥＩ）三次元オプションメッセージを前記現行ビデオフレームと共に送信するステップを更に含むことを特徴とする請求項１４記載の三次元ビデオ符号化方法。
【請求項１８】
レシーバ機能及び前記チャネル帯域幅の分析を含む前記グループから選択されたトリガに対応する二次元コマンドを受け入れるステップと、前記二次元コマンドをレシーバに送信するステップとを更に含むことを特徴とする請求項１４記載の三次元ビデオ符号化方法。
【請求項１９】
現行ビューフレームからの前記フィールドのうち一方のみを送信するステップを更に含むことを特徴とする請求項１８記載の三次元ビデオ符号化方法。
【請求項２０】
前記現行ビデオ画像を受け入れる前に、第一のビデオ画像を受け入れるステップと、第一の画像のトップフィールドを符号化するステップと、第一の画像のボトムフィールドを符号化するステップとを更に含んでなり、
前記現行フレームのトップフィールドを符号化するステップが、前記第一の画像のトップフィールドに応じて、前記現行フレームのトップフィールドを符号化するステップを含み、
前記現行フレームのボトムフィールドを符号化するステップが、前記第一のフレームのボトムフィールドに応じて、前記現行フレームのボトムフィールドを符号化するステップを含むことを特徴とする請求項１４記載の三次元ビデオ符号化方法。
【請求項２１】
前記現行画像を受け入れる前に、第一のビデオ画像を受け入れるステップと、第一の画像の第一のフィールドを符号化するステップとを更に含んでなり、
前記現行フレームのトップフィールドを符号化するステップが、前記第一の画像の第一のフィールドに応じて、前記現行フレームのトップフィールドを符号化するステップを含み、
前記現行フレームのボトムフィールドを符号化するステップが、前記第一の画像の第一のフィールドに応じて、前記現行フレームのボトムフィールドを符号化するステップを含むことを特徴とする請求項１４記載の三次元ビデオ符号化方法。
【請求項２２】
第一の画像の第一のフィールドを符号化するステップが、第一の画像のトップフィールドを符号化するステップを含むことを特徴とする請求項２１記載の三次元ビデオ符号化方法。
【請求項２３】
第一の画像の第一のフィールドを符号化するステップが、第一の画像のボトムフィールドを符号化するステップを含むことを特徴とする請求項１４記載の三次元ビデオ符号化方法。
【請求項２４】
三次元ビデオを受信する三次元ビデオ受信システムにおいて、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを有する復号手段と、該復号手段で復号された前記トップフィールドとボトムフィールドを入力とし、入力された両フィールドを三次元のフレーム画像として表示する表示手段とを備えるシステムであって、前記復号手段は、前記トップフィールドと前記ボトムフィールドの復号にそれぞれ同一又は別の参照フィールドを用いることを特徴とする三次元ビデオ受信システム。
【請求項２５】
前記ビットストリームは、Ｈ．２６４で符号化されたビットストリームであることを特徴とする請求項２４記載の三次元ビデオ受信システム。
【請求項２６】
前記表示手段が、前記復号済みトップ及びボトムフィールドをステレオビュー画像として視覚的に提示することを特徴とする請求項２４記載の三次元ビデオ受信システム。
【請求項２７】
前記復号手段が、補足エンハンスメント情報（ＳＥＩ）三次元コンテンツメッセージを前記現行ビデオフレームと共に受信し、ディスプレイ機能を分析し、該分析により非三次元ディスプレイ機能が検出された場合、前記三次元オプションＳＥＩメッセージに応じて、前記現行フレームのインタレースフィールドの一方のみを復号し、
前記表示手段が、二次元画像を視覚的に提示することを特徴とする請求項２４記載の三次元ビデオ受信システム。
【請求項２８】
前記復号手段が、前記表示手段のディスプレイ機能を分析し、該分析により非三次元ディスプレイ機能が検出された場合、前記現行フレームのインタレースフィールドの一方のみを復号し、
前記表示手段が、二次元画像を視覚的に提示することを特徴とする請求項２４記載の三次元ビデオ受信システム。
【請求項２９】
前記復号手段は、二次元選択コマンドを供給するために二次元決定ユニットを有し、前記復号手段が、前記二次元選択コマンドに応じて、前記現行フレームのインタレースフィールドの一方のみを復号し、
前記表示手段が、二次元画像を視覚的に提示することを特徴とする請求項２４記載の三次元ビデオ受信システム。
【請求項３０】
前記復号手段の二次元決定ユニットが、ＳＥＩメッセージを受信するステップと、ディスプレイ機能の分析と、手動選択と、レシーバシステム構成とを含む前記グループから選択されたトリガに応じて、二次元選択コマンドを供給することを特徴とする請求項２９記載の三次元ビデオ受信システム。
【請求項３１】
前記表示手段が、復号済みの現行フレームのインタレースフィールドの一方のみを使用することに応じて、二次元画像を視覚的に提示することを特徴とする請求項２４記載の三次元ビデオ受信システム。
【請求項３２】
前記復号手段が、前記現行フレームを受け入れる前に、第一の符号化済みビデオフレームを受け入れ、予測的な第一のフレームのトップフィールドを導き、予測的な第一のフレームのボトムフィールドを導き、前記予測的な第一のフレームのトップフィールドに応じて、前記現行フレームのトップフィールドを復号し、前記予測的な第一のフレームのボトムフィールドに応じて、前記現行フレームのボトムフィールドを復号することを特徴とする請求項２４記載の三次元ビデオ受信システム。
【請求項３３】
前記復号手段が、前記現行フレームを受け入れる前に、第一の符号化済みビデオフレームを受け入れ、予測的な第一のフレームの第一のフィールドを導き、前記予測的な第一のフレームの第一のフィールドに応じて前記現行フレームのトップフィールドを復号し、前記予測的な第一のフレームの第一のフィールドに応じて前記現行フレームのボトムフィールドを復号することを特徴とする請求項２４記載の三次元ビデオ受信システム。
【請求項３４】
前記復号手段が、予測的な第一のフレームのトップフィールドを導くことを特徴とする請求項３３記載の三次元ビデオ受信システム。
【請求項３５】
前記復号手段が、予測的な第一のフレームのボトムフィールドを導くことを特徴とする請求項３３記載の三次元ビデオ受信システム。
【請求項３６】
前記表示手段が、三次元画像の提示に対して選択されたものとして、前記復号済みの現行フレームのインタレースフィールドの一方を使用することに応じて、二次元画像を提示することを特徴とする請求項２４記載の三次元ビデオ受信システム。
【請求項３７】
三次元ビデオを符号化する三次元ビデオ符号化システムにおいて、三次元ビデオフレームを入力するための入力部と、ビットストリームを供給するための伝送路に繋がる出力部とを有する符号化手段を備え、該符号化手段は、前記三次元ビデオフレームを構成する第１の視点の画像をトップフィールドとして、第２の視点の画像をボトムフィールドとして、フィールド予測符号化を行ない、かつ、前記トップフィールドとボトムフィールドの符号化にそれぞれ同一又は別の参照フィールドを用いることを特徴とする三次元ビデオ符号化システム。
【請求項３８】
前記符号化手段は、Ｈ．２６４符号化を実行する手段であることを特微とする請求項３７記載の三次元ビデオ符号化システム。
【請求項３９】
前記符号化手段が、ステレオ画像の第一及び第二のビューを受け入れることを特微とする請求項３７記載の三次元ビデオ符号化システム。
【請求項４０】
前記符号化手段が、補足エンハンスメント情報（ＳＥＩ）三次元オプションメッセージを前記現行ビデオフレームと共に送信し、オプションの単一フィールド二次元復号化をトリガすることを特微とする請求項３７記載の三次元ビデオ符号化システム。
【請求項４１】
前記符号化手段が、接続されたレシーバの機能及び前記チャネル帯域幅の分析を含む前記グループから選択されたトリガに対応する二次元コマンドを送信することを特微とする請求項３７記載の三次元ビデオ符号化システム。
【請求項４２】
前記符号化手段が、前記現行ビューフレームからの前記フィールドの一方のみを符号化及び送信することを特微とする請求項４１記載の三次元ビデオ符号化システム。
【請求項４３】
前記符号化手段が、前記現行ビデオ画像を受け入れる前に、第一のビデオ画像を受け入れ、第一の画像のトップフィールドを符号化し、第一の画像のボトムフィールドを符号化し、前記第一の画像のトップフィールドに応じて、前記現行フレームのトップフィールドを符号化し、前記第一のフレームのボトムフィールドに応じて、前記現行フレームのボトムフィールドを符号化することを特微とする請求項３７記載の三次元ビデオ符号化システム。
【請求項４４】
前記符号化手段が、前記現行画像を受け入れる前に、第一のビデオ画像を受け入れ、第一の画像の第一のフィールドを符号化し、前記第一の画像の第一のフィールドに応じて、前記現行フレームのトップフィールドを符号化し、前記第一の画像の第一のフィールドに応じて、前記現行フレームのボトムフィールドを符号化することを特微とする請求項３７記載の三次元ビデオ符号化システム。
【請求項４５】
前記第一の画像の第一のフィールドが、第一の画像のトップフィールドであることを特微とする請求項４４記載の三次元ビデオ符号化システム。
【請求項４６】
前記第一の画像の第一のフィールドが、第一の画像のボトムフィールドであることを特微とする請求項４４記載の三次元ビデオ符号化システム。
【請求項４７】
三次元ビデオを復号する三次元ビデオ復号装置において、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを備え、前記トップフィールドと前記ボトムフィールドの復号にそれぞれ同一又は別の参照フィールドを用いることを特徴とする三次元ビデオ復号装置。
【請求項４８】
三次元ビデオを受信する三次元ビデオ受信方法において、フィールド予測符号化されたビデオフレームのビットストリームを受けるステップと、前記ビットストリームから、同じビデオフレームを構成するトップフィールドとボトムフィールドのそれぞれを復号するステップとを含み、該ステップは、前記トップフィールドの復号に用いる参照フィールドをトップフィールドとする方法と、前記ボトムフィールドの復号に用いる参照フィールドをボトムフィールドとする方法とのうち、少なくともいずれかひとつの方法を用い、前記トップフィールド及びボトムフィールドを三次元画像フレーム又は二次元画像フレームとして復号することを特徴とする三次元ビデオ受信方法。
【請求項４９】
三次元ビデオを符号化する三次元ビデオ符号化方法において、三次元ビデオフレームを構成する第１の視点の画像をトップフィールドとして、第２の視点の画像をボトムフィールドとして、フィールド予測符号化を行なう方法であって、前記トップフィールドとボトムフィールドの符号化にそれぞれ同一又は別の参照フィールドを用いることを特徴とする三次元ビデオ符号化方法。
【請求項５０】
三次元ビデオを受信する三次元ビデオ受信システムにおいて、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを有する復号手段と、該復号手段で復号された前記トップフィールドとボトムフィールドを入力とし、入力された両フィールドを三次元のフレーム画像として表示する表示手段とを備え、前記復号手段は、前記トップフィールドと前記ボトムフィールドの復号にそれぞれ同一又は別の参照フィールドを用いることを特徴とする三次元ビデオ受信システム。
【請求項５１】
三次元ビデオを符号化する三次元ビデオ符号化システムにおいて、三次元ビデオフレームを入力するための入力部と、ビットストリームを供給するための伝送路に繁がる出力部とを有する符号化手段を備え、該符号化手段は、前記三次元ビデオフレームを構成する第１の視点の画像をトップフィールドとして、第２の視点の画像をボトムフィールドとしてフィールド予測符号化を行ない、かつ、前記トップフィールドとボトムフィールドの符号化にそれぞれ同一又は別の参照フィールドを用いることを特徴とする三次元ビデオ符号化システム。
【請求項５２】
三次元ビデオ復号する三次元ビデオ復号装置において、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを備え、前記トップフィールドと前記ボトムフィールドの復号にそれぞれ同一又は別の参照フィールドを用いることを特徴とする三次元ビデオ復号装置。
【発明の詳細な説明】
【技術分野】
【０００１】
本発明は、一般に、ビデオ圧縮に関し、詳しくは、三次元及びステレオ表示のために圧縮ビデオを符号化／復号するシステム及び方法に関する。
【背景技術】
【０００２】
従来のビデオ圧縮手法は、通常、三次元（３Ｄ）又はステレオビュービデオをフレーム単位で取り扱う。最も単純な方法は、二つのビューを独立したビデオシーケンスとして別個に符号化することである。しかしながら、この単純な方法は、符号化効率が悪い。更に、符号化／デコーダ、多重化／逆多重化、及び二本のビットストリームの同期が必要となるため、高い複雑性を有する。ビットストリーム処理の複雑性を低減するために、各ビューからの同期フレームを共にグループ化してコンポジットフレームを形成し、その後、一本の単一ビットストリームへと符号化することができる。このコンポジットフレームの方法でも、依然として符号化効率は悪い。更に、ビュースケーラブル機能が失われ、即ち、デコーダが選択できるのは、一つのみのビューの復号及び表示となる。
【０００３】
また、特許文献１に記載されるように、一方のビューをベース層のビットストリームへ符号化し、他方のビューをエンハンスメント層に符号化することができる。この層によるアプローチでは、符号化効率が高まるだけでなく、ビュースケーラブル機能も維持される。しかしながら、この方法も、多重ビットストリーム（ベース層及びエンハンスメント層のビットストリーム）を処理する必要があるため、複雑性が高い。
【先行技術文献】
【特許文献】
【０００４】
【特許文献１】米国特許出願第２００２／０００９１３７号明細書
【発明の概要】
【発明が解決しようとする課題】
【０００５】
圧縮３Ｄビデオを、より高い効率で通信できれば有利である。
旧来の２Ｄディスプレイ上で表示できるように、圧縮３Ｄ又はステレオビューの一方のビューのみを復号可能であれば有利である。
【課題を解決するための手段】
【０００６】
本発明は、上述のごとき課題を解決するために、以下の各技術手段により構成される。
第１の技術手段は、三次元ビデオを受信する三次元ビデオ受信方法において、フィールド予測符号化されたビデオフレームのビットストリームを受けるステップと、前記ビットストリームから、同じビデオフレームを構成するトップフィールドとボトムフィールドのそれぞれを復号するステップとを含み、該ステップは、前記トップフィールド及びボトムフィールドの復号にそれぞれ同一又は別の参照フィールドを用い、前記トップフィールド及びボトムフィールドを三次元画像フレームとして復号することを特徴としたものである。
【０００７】
第２の技術手段は、第１の技術手段において、前記ビットストリームは、Ｈ．２６４で符号化されたビットストリームであることを特徴としたものである。
【０００８】
第３の技術手段は、第１の技術手段において、前記復号済みのトップ及びボトムフィールドを三次元のフレーム画像として提示するステップを含んでなり、該ステップが前記復号済みのトップ及びボトムフィールドをステレオビュー画像として提示するステップを含むことを特徴としたものである。
【０００９】
第４の技術手段は、第１の技術手段において、補足エンハンスメント情報（ＳＥＩ）三次元コンテンツメッセージを前記現行ビデオフレームと共に受信するステップと、ディスプレイ機能を分析するステップと、該分析により非三次元ディスプレイ機能が検出された場合、前記現行フレームのインタレースフィールドの一方のみを復号するステップと、二次元フレーム画像を提示するステップとを更に含むことを特徴としたものである。
【００１０】
第５の技術手段は、第１の技術手段において、ディスプレイの機能を分析するステップと、該分析により非三次元ディスプレイ機能が検出された場合、前記現行フレームのインタレースフィールドの一方のみを復号するステップと、二次元フレーム画像を提示するステップと、を更に含むことを特徴としたものである。
【００１１】
第６の技術手段は、第１の技術手段において、二次元選択コマンドを受け入れるステップと、前記二次元選択コマンドに応じて、前記現行フレームのインタレースフィールドの一方のみを復号するステップと、二次元のフレーム画像を提示するステップと、を更に含むことを特徴としたものである。
【００１２】
第７の技術手段は、第６の技術手段において、二次元選択コマンドを受け入れるステップが、ＳＥＩメッセージの受信と、ディスプレイ機能の分析と、手動選択と、レシーバシステム構成とを含むグループから選択されたトリガに応じて、二次元選択コマンドを受け入れるステップを含むことを特徴としたものである。
【００１３】
第８の技術手段は、第１の技術手段において、前記復号済みの現行フレームのインタレースフィールドの一方のみを使用することに応じて、二次元のフレーム画像を提示するステップを更に含むことを特徴としたものである。
【００１４】
第９の技術手段は、第１の技術手段において、前記現行フレームを受け入れる前に、第一の符号化済みビデオフレームを受け入れるステップと、予測的な第一のフレームのトップフィールドを導くステップと、予測的な第一のフレームのボトムフィールドを導くステップとを更に含んでなり、前記現行フレームのトップフィールドを復号するステップが、前記予測的な第一のフレームのトップフィールドに応じて、前記現行フレームのトップフィールドを復号するステップを含み、現行フレームのボトムフィールドを復号するステップが、前記予測的な第一のフレームのボトムフィールドに応じて、前記現行フレームのボトムフィールドを復号するステップを含むことを特徴としたものである。
【００１５】
第１０の技術手段は、第１の技術手段において、前記現行フレームを受け入れる前に、第一の符号化済みビデオフレームを受け入れるステップと、予測的な第一のフレームの第一のフィールドを導くステップとを更に含んでなり、前記現行フレームのトップフィールドを復号するステップが、前記予測的な第一のフレームの第一のフィールドに応じて、前記現行フレームのトップフィールドを復号するステップを含み、前記現行フレームのボトムフィールドを復号するステップが、前記予測的な第一のフレームの第一のフィールドに応じて、前記現行フレームのボトムフィールドを復号するステップを含むことを特徴としたものである。
【００１６】
第１１の技術手段は、第１０の技術手段において、予測的な第一のフレームの第一のフィールドを導くステップが、予測的な第一のフレームのトップフィールドを導くステップを含むことを特徴としたものである。
【００１７】
第１２の技術手段は、第１０の技術手段において、予測的な第一のフレームの第一のフィールドを導くステップが、予測的な第一のフレームのボトムフィールドを導くステップを含むことを特徴としたものである。
【００１８】
第１３の技術手段は、第１の技術手段において、前記三次元画像フレームによる三次元画像の提示と同時に、前記復号済みの現行フレームのインタレースフィールドの一方を使用することに応じて、二次元画像を提示するステップを更に含むことを特徴としたものである。
【００１９】
第１４の技術手段は、三次元ビデオを符号化する三次元ビデオ符号化方法において、三次元ビデオフレームを構成する第１の視点の画像をトップフィールドとして、第２の視点の画像をボトムフィールドとして、フィールド予測符号化を行うステップを含み、前記トップフィールドとボトムフィールドの符号化にそれぞれ同一又は別の参照フィールドを用いることを特徴としたものである。
【００２０】
第１５の技術手段は、第１４の技術手段において、当該符号化方法は、Ｈ．２６４符号化であることを特徴としたものである。
【００２１】
第１６の技術手段は、第１４の技術手段において、画像の第一のビュー及び画像の第二の三次元ビューを含む現行三次元ビデオ画像を受け入れるステップが、ステレオ画像の第一及び第二のビューを受け入れるステップを含むことを特徴としたものである。
【００２２】
第１７の技術手段は、第１４の技術手段において、オプションの単一フィールド二次元復号化をトリガするために、補足エンハンスメント情報（ＳＥＩ）三次元オプションメッセージを前記現行ビデオフレームと共に送信するステップを更に含むことを特徴としたものである。
【００２３】
第１８の技術手段は、第１４の技術手段において、レシーバ機能及び前記チャネル帯域幅の分析を含む前記グループから選択されたトリガに対応する二次元コマンドを受け入れるステップと、前記二次元コマンドをレシーバに送信するステップとを更に含むことを特徴としたものである。
【００２４】
第１９の技術手段は、第１８の技術手段において、現行ビューフレームからの前記フィールドのうち一方のみを送信するステップを更に含むことを特徴としたものである。
【００２５】
第２０の技術手段は、第１４の技術手段において、前記現行ビデオ画像を受け入れる前に、第一のビデオ画像を受け入れるステップと、第一の画像のトップフィールドを符号化するステップと、第一の画像のボトムフィールドを符号化するステップとを更に含んでなり、前記現行フレームのトップフィールドを符号化するステップが、前記第一の画像のトップフィールドに応じて、前記現行フレームのトップフィールドを符号化するステップを含み、前記現行フレームのボトムフィールドを符号化するステップが、前記第一のフレームのボトムフィールドに応じて、前記現行フレームのボトムフィールドを符号化するステップを含むことを特徴としたものである。
【００２６】
第２１の技術手段は、第１４の技術手段において、前記現行画像を受け入れる前に、第一のビデオ画像を受け入れるステップと、第一の画像の第一のフィールドを符号化するステップとを更に含んでなり、前記現行フレームのトップフィールドを符号化するステップが、前記第一の画像の第一のフィールドに応じて、前記現行フレームのトップフィールドを符号化するステップを含み、前記現行フレームのボトムフィールドを符号化するステップが、前記第一の画像の第一のフィールドに応じて、前記現行フレームのボトムフィールドを符号化するステップを含むことを特徴としたものである。
【００２７】
第２２の技術手段は、第２１の技術手段において、第一の画像の第一のフィールドを符号化するステップが、第一の画像のトップフィールドを符号化するステップを含むことを特徴としたものである。
【００２８】
第２３の技術手段は、第１４の技術手段において、第一の画像の第一のフィールドを符号化するステップが、第一の画像のボトムフィールドを符号化するステップを含むことを特徴としたものである。
【００２９】
第２４の技術手段は、三次元ビデオを受信する三次元ビデオ受信システムにおいて、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを有する復号手段と、該復号手段で復号された前記トップフィールドとボトムフィールドを入力とし、入力された両フィールドを三次元のフレーム画像として表示する表示手段とを備えるシステムであって、前記復号手段は、前記トップフィールドと前記ボトムフィールドの復号にそれぞれ同一又は別の参照フィールドを用いることを特徴としたものである。
【００３０】
第２５の技術手段は、第２４の技術手段において、前記ビットストリームは、Ｈ．２６４で符号化されたビットストリームであることを特徴としたものである。
【００３１】
第２６の技術手段は、第２４の技術手段において、前記表示手段が、前記復号済みトップ及びボトムフィールドをステレオビュー画像として視覚的に提示することを特徴としたものである。
【００３２】
第２７の技術手段は、第２４の技術手段において、前記復号手段が、補足エンハンスメント情報（ＳＥＩ）三次元コンテンツメッセージを前記現行ビデオフレームと共に受信し、ディスプレイ機能を分析し、該分析により非三次元ディスプレイ機能が検出された場合、前記三次元オプションＳＥＩメッセージに応じて、前記現行フレームのインタレースフィールドの一方のみを復号し、前記表示手段が、二次元画像を視覚的に提示することを特徴としたものである。
【００３３】
第２８の技術手段は、第２４の技術手段において、前記復号手段が、前記表示手段のディスプレイ機能を分析し、該分析により非三次元ディスプレイ機能が検出された場合、前記現行フレームのインタレースフィールドの一方のみを復号し、前記表示手段が、二次元画像を視覚的に提示することを特徴としたものである。
【００３４】
第２９の技術手段は、第２４の技術手段において、前記復号手段は、二次元選択コマンドを供給するために二次元決定ユニットを有し、前記復号手段が、前記二次元選択コマンドに応じて、前記現行フレームのインタレースフィールドの一方のみを復号し、前記表示手段が、二次元画像を視覚的に提示することを特徴としたものである。
【００３５】
第３０の技術手段は、第２９の技術手段において、前記復号手段の二次元決定ユニットが、ＳＥＩメッセージを受信するステップと、ディスプレイ機能の分析と、手動選択と、レシーバシステム構成とを含む前記グループから選択されたトリガに応じて、二次元選択コマンドを供給することを特徴としたものである。
【００３６】
第３１の技術手段は、第２４の技術手段において、前記表示手段が、復号済みの現行フレームのインタレースフィールドの一方のみを使用することに応じて、二次元画像を視覚的に提示することを特徴としたものである。
【００３７】
第３２の技術手段は、第２４の技術手段において、前記復号手段が、前記現行フレームを受け入れる前に、第一の符号化済みビデオフレームを受け入れ、予測的な第一のフレームのトップフィールドを導き、予測的な第一のフレームのボトムフィールドを導き、前記予測的な第一のフレームのトップフィールドに応じて、前記現行フレームのトップフィールドを復号し、前記予測的な第一のフレームのボトムフィールドに応じて、前記現行フレームのボトムフィールドを復号することを特徴としたものである。
【００３８】
第３３の技術手段は、第２４の技術手段において、前記復号手段が、前記現行フレームを受け入れる前に、第一の符号化済みビデオフレームを受け入れ、予測的な第一のフレームの第一のフィールドを導き、前記予測的な第一のフレームの第一のフィールドに応じて前記現行フレームのトップフィールドを復号し、前記予測的な第一のフレームの第一のフィールドに応じて前記現行フレームのボトムフィールドを復号することを特徴としたものである。
【００３９】
第３４の技術手段は、第３３の技術手段において、前記復号手段が、予測的な第一のフレームのトップフィールドを導くことを特徴としたものである。
【００４０】
第３５の技術手段は、第３３の技術手段において、前記復号手段が、予測的な第一のフレームのボトムフィールドを導くことを特徴としたものである。
【００４１】
第３６の技術手段は、第２４の技術手段において、前記表示手段が、三次元画像の提示に対して選択されたものとして、前記復号済みの現行フレームのインタレースフィールドの一方を使用することに応じて、二次元画像を提示することを特徴としたものである。
【００４２】
第３７の技術手段は、三次元ビデオを符号化する三次元ビデオ符号化システムにおいて、三次元ビデオフレームを入力するための入力部と、ビットストリームを供給するための伝送路に繋がる出力部とを有する符号化手段を備え、該符号化手段は、前記三次元ビデオフレームを構成する第１の視点の画像をトップフィールドとして、第２の視点の画像をボトムフィールドとして、フィールド予測符号化を行ない、かつ、前記トップフィールドとボトムフィールドの符号化にそれぞれ同一又は別の参照フィールドを用いることを特徴としたものである。
【００４３】
第３８の技術手段は、第３７の技術手段において、前記符号化手段は、Ｈ．２６４符号化を実行する手段であることを特微としたものである。
【００４４】
第３９の技術手段は、第３７の技術手段において、前記符号化手段が、ステレオ画像の第一及び第二のビューを受け入れることを特微としたものである。
【００４５】
第４０の技術手段は、第３７の技術手段において、前記符号化手段が、補足エンハンスメント情報（ＳＥＩ）三次元オプションメッセージを前記現行ビデオフレームと共に送信し、オプションの単一フィールド二次元復号化をトリガすることを特微としたものである。
【００４６】
第４１の技術手段は、第３７の技術手段において、前記符号化手段が、接続されたレシーバの機能及び前記チャネル帯域幅の分析を含む前記グループから選択されたトリガに対応する二次元コマンドを送信することを特微としたものである。
【００４７】
第４２の技術手段は、第４１の技術手段において、前記符号化手段が、前記現行ビューフレームからの前記フィールドの一方のみを符号化及び送信することを特微としたものである。
【００４８】
第４３の技術手段は、第３７の技術手段において、前記符号化手段が、前記現行ビデオ画像を受け入れる前に、第一のビデオ画像を受け入れ、第一の画像のトップフィールドを符号化し、第一の画像のボトムフィールドを符号化し、前記第一の画像のトップフィールドに応じて、前記現行フレームのトップフィールドを符号化し、前記第一のフレームのボトムフィールドに応じて、前記現行フレームのボトムフィールドを符号化することを特微としたものである。
【００４９】
第４４の技術手段は、第３７の技術手段において、前記符号化手段が、前記現行画像を受け入れる前に、第一のビデオ画像を受け入れ、第一の画像の第一のフィールドを符号化し、前記第一の画像の第一のフィールドに応じて、前記現行フレームのトップフィールドを符号化し、前記第一の画像の第一のフィールドに応じて、前記現行フレームのボトムフィールドを符号化することを特微としたものである。
【００５０】
第４５の技術手段は、第４４の技術手段において、前記第一の画像の第一のフィールドが、第一の画像のトップフィールドであることを特微としたものである。
【００５１】
第４６の技術手段は、第４４の技術手段において、前記第一の画像の第一のフィールドが、第一の画像のボトムフィールドであることを特微としたものである。
【００５２】
第４７の技術手段は、三次元ビデオを復号する三次元ビデオ復号装置において、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを備え、前記トップフィールドと前記ボトムフィールドの復号にそれぞれ同一又は別の参照フィールドを用いることを特徴としたものである。
【００５３】
第４８の技術手段は、三次元ビデオを受信する三次元ビデオ受信方法において、フィールド予測符号化されたビデオフレームのビットストリームを受けるステップと、前記ビットストリームから、同じビデオフレームを構成するトップフィールドとボトムフィールドのそれぞれを復号するステップとを含み、該ステップは、前記トップフィールドの復号に用いる参照フィールドをトップフィールドとする方法と、前記ボトムフィールドの復号に用いる参照フィールドをボトムフィールドとする方法とのうち、少なくともいずれかひとつの方法を用い、前記トップフィールド及びボトムフィールドを三次元画像フレーム又は二次元画像フレームとして復号することを特徴としたものである。
【００５４】
第４９の技術手段は、三次元ビデオを符号化する三次元ビデオ符号化方法において、三次元ビデオフレームを構成する第１の視点の画像をトップフィールドとして、第２の視点の画像をボトムフィールドとして、フィールド予測符号化を行なう方法であって、前記トップフィールドとボトムフィールドの符号化にそれぞれ同一又は別の参照フィールドを用いることを特徴としたものである。
【００５５】
第５０の技術手段は、三次元ビデオを受信する三次元ビデオ受信システムにおいて、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを有する復号手段と、該復号手段で復号された前記トップフィールドとボトムフィールドを入力とし、入力された両フィールドを三次元のフレーム画像として表示する表示手段とを備え、前記復号手段は、前記トップフィールドと前記ボトムフィールドの復号にそれぞれ同一又は別の参照フィールドを用いることを特徴としたものである。
【００５６】
第５１の技術手段は、三次元ビデオを符号化する三次元ビデオ符号化システムにおいて、三次元ビデオフレームを入力するための入力部と、ビットストリームを供給するための伝送路に繁がる出力部とを有する符号化手段を備え、該符号化手段は、前記三次元ビデオフレームを構成する第１の視点の画像をトップフィールドとして、第２の視点の画像をボトムフィールドとしてフィールド予測符号化を行ない、かつ、前記トップフィールドとボトムフィールドの符号化にそれぞれ同一又は別の参照フィールドを用いることを特徴としたものである。
【００５７】
第５２の技術手段は、三次元ビデオ復号する三次元ビデオ復号装置において、フィールド予測符号化されたビデオフレームのビットストリームを受信する伝送路に接続するための入力部と、前記ビットストリームから、同じビデオフレームを構成するトップフィールドとボトムフィールドのそれぞれを復号して出力する出力部とを備え、前記トップフィールドと前記ボトムフィールドの復号にそれぞれ同一又は別の参照フィールドを用いることを特徴としたものである。
【図面の簡単な説明】
【００５８】
【図１】本発明の３Ｄビデオレシーバシステムの概略ブロック図である。
【図２】本発明の３Ｄビデオ符号化システムの概略ブロック図である。
【図３】本発明の３Ｄビューフィールドのインタレース処理を例示する図である。
【図４】符号化性能の比較を例示するグラフである。
【図５】３Ｄビデオを受信する本発明の方法を例示するフローチャートである。
【図６】３Ｄビデオを符号化する本発明の方法を例示するフローチャートである。
【発明を実施するための形態】
【００５９】
本発明は、３Ｄビデオフレームをインタレース済みデータとして扱う。そのため、３Ｄビューは、より優れた圧縮を可能にするＨ．２６４におけるもの等、既存のインタレース符号化方法を使用して符号化できる。更に、本発明は、エンコーダ側での最小限の制約と共に、スケーラブル符号化（二次元ビュー）機能をサポートする。スケーラブルデ符号化オプションは、例えば、単純なＳＥＩメッセージにおいて信号を送ることができる。
【００６０】
したがって、３Ｄビデオを受信するための方法が提供される。この方法は、Ｍｏｖｉｎｇ  Ｐｉｃｔｕｒｅ  Ｅｘｐｅｒｔｓ  Ｇｒｏｕｐ−２（ＭＰＥＧ−２）、ＭＰＥＧ−４、又はＩＴＵ−Ｔ  Ｈ．２６４規格において、二つのインタレースフィールドで符号化された現行ビデオフレームを伴うビットストリームを受け入れるステップと、現行フレームのトップフィールドを復号するステップと、現行フレームのボトムフィールドを復号するステップと、復号済みのトップ及びボトムフィールドを３Ｄフレーム画像として提示するステップとを含む。一部の態様において、この方法は、復号済みのトップ及びボトムフィールドを、ステレオビュー画像として提示する。
【００６１】
一部の態様において、この方法は、補足エンハンスメント情報（ＳＥＩ）メッセージを受信するといったトリガに応じて、２Ｄ選択コマンドを受け入れる。その他のトリガには、ディスプレイのケーパビリティ（機能）の分析、手動選択、又はレシーバシステム構成が含まれる。その後、現行フレームのインタレースフィールドの一方のみが復号され、２Ｄフレーム画像が提示される。
【００６２】
この方法の一態様では、現行フレームを受け入れる前に、第一の符号化済みビデオフレームが受け入れられる。その後、この方法は、予測的な第一のフレームのトップフィールドを導き、更に、予測的な第一のフレームのボトムフィールドを導く。次に、現行フレームのトップ及びボトムフィールドが、予測的な第一のフレームのトップフィールドと予測的な第一のフレームのボトムフィールドとに応じて、それぞれ復号される。
【００６３】
同様に、３Ｄビデオを符号化する方法が提供され、この方法は、画像の第一のビュー及び画像の第二の３Ｄビューを含む現行３Ｄビデオ画像を受け入れるステップと、第一のビューをフレームのトップフィールドとして符号化するステップと、第二のビューをフレームのボトムフィールドとして符号化するステップと、トップフィールドがボトムフィールドにインタレースされた現行ビデオフレームを伴うビットストリームを、チャネルへ送信するステップとを含む。
【００６４】
上記の方法と３Ｄビデオエンコーダ及びレシーバシステムとの更なる詳細は、以下に記載する。
【００６５】
図１は、本発明の３Ｄビデオレシーバシステムの概略ブロック図である。システム１００は、二つのインタレースフィールドにより符号化された現行ビデオフレームを伴うビットストリームを受け入れるために、ライン１０４上のチャネルに接続された入力を有する、復号手段の一例としてのデコーダ１０２を備える。例えば、ライン１０４は、インターネット、衛星放送受信機、又はデジタルケーブルネットワークに接続してよい。デコーダ１０２は、ＭＰＥＧ−２、ＭＰＥＧ−４、又はＩＴＵ−Ｔ  Ｈ．２６４のような規格のビットストリームを受け入れる。デコーダ１０２は、復号済みの現行フレームのトップフィールドと現行フレームのボトムフィールドとを供給するために、ライン１０６上に出力を有する。表示手段の一例としてのディスプレイ１０８は、ライン１０６上の復号済みフィールドを受け入れるための入力を有する。ディスプレイ１０８は、復号済みのトップ及びボトムフィールドを、３Ｄフレーム画像として、視覚的に提示する。例えば、ディスプレイ１０８は、高品位テレビにすることができる。システムの他の態様において、ディスプレイ１０８は、復号済みのトップ及びボトムフィールドを、ステレオビュー画像として、視覚的に提示する。
【００６６】
一般に、ディスプレイ１０８は、復号済みの現行フレームのインタレースフィールドの一方のみを使用することに応じて、二次元（２Ｄ）画像を視覚的に提示する。更に、３Ｄ画像の提示に対して選択されたものとして、ディスプレイ１０８は、復号済みの現行フレームのインタレースフィールドの一方のみを使用することに応じて、２Ｄ画像を提示してもよい。例えば、ユーザは、３Ｄ画像が利用可能な場合であっても、２Ｄ画像の表示を手動で選択してよい。
【００６７】
その他の態様において、デコーダ１０２は、ディスプレイ機能を分析し、非３Ｄディスプレイ機能が検出された場合、現行フレームのインタレースフィールドの一方のみを復号してよい。例えば、デコーダは、ディスプレイ１０８が旧来のテレビであることを検出してもよい。この状況において、ディスプレイ１０８は、二次元（２Ｄ）画像を視覚的に提示する。
【００６８】
一部の態様において、デコーダ１０２は、補足エンハンスメント情報（ＳＥＩ）３Ｄコンテンツメッセージを現行ビデオフレームと共に受信する。従来のＳＥＩメッセージには多くのタイプが存在する。３ＤコンテンツＳＥＩメッセージは、（複数の）参照フレームがフレーム内のトップ及びボトムフィールドとして編成された３Ｄコンテンツを含むことの信号として機能するメッセージである。３ＤコンテンツＳＥＩメッセージは、デコーダ１０２がディスプレイ機能を分析するのをトリガしてもよい。この分析は、ディスプレイ１０８に向けられたクエリの結果としてよく、或いはディスプレイ機能に関するメモリ内の事前に構成した情報にアクセスした結果としてもよい。非３Ｄディスプレイ機能が検出された場合、デコーダは、３ＤオプションＳＥＩメッセージに応じて、現行フレームのインタレースフィールドの一方のみを復号することを選択してよい。一方のみのフィールドがデコーダ１０２によって供給されるため、ディスプレイ１０８は、二次元（２Ｄ）画像を視覚的に提示する。なお、デコーダ１０２は、ディスプレイが３Ｄ画像を提示できない場合であっても、ディスプレイ１０８に３Ｄビューの両方のフィールドを提供してもよい。
【００６９】
一部の態様において、デコーダ１０２は、ライン１１２に２Ｄ選択コマンドを供給する２Ｄ決定ユニット１１０を含む。デコーダ１０２は、２Ｄ選択コマンドに応じて、現行フレームのインタレースフィールドの一方のみを復号する。これに応じて、ディスプレイ１０８は、２Ｄ画像を視覚的に提示する。デコーダ２Ｄ決定ユニット１１０は、ライン１０４上でＳＥＩメッセージを受信すること等のトリガに応じて、２Ｄ選択コマンドを供給する。トリガは、ディスプレイ機能の分析にしてよい。例えば、ライン１０６上でのディスプレイとの通信において、機能を調査してよい。他の態様において、トリガは、ユーザによって行われた手動選択に対応し、ライン１１４上で受信される。別の態様において、トリガは、メモリ１１６に格納されるレシーバシステム構成に対応可能である。
【００７０】
トップ及びボトムフィールドの相補的な３Ｄビューとしての編成は、予測的な符号化及び復号処理に対応する。ＭＰＥＧ規格に関して、イントラ符号化フレーム（Ｉフレーム）は、一連の後続フレームにおける基盤として使用可能な情報を伝達するのに使用される。Ｈ．２６４に関して、予測フレームは、独立デコーダリフレッシュ（ＩＤＲ）ピクチャと呼ばれる。一部の態様において、デコーダは、現行フレームを受け入れる前に、第一の符号化済みビデオフレームを受け入れる。デコーダ１０２は、第一のフレームから、予測的な第一のフレームのトップフィールド及び予測的な第一のフレームのボトムフィールドを導く。次に、デコーダ１０２は、予測的な第一のフレームのトップフィールドに応じて、現行フレームのトップフィールドを復号する。同様に、現行フレームのボトムフィールドは、予測的な第一のフレームのボトムフィールドに応じて復号される。
【００７１】
また、デコーダ１０２は、予測的な第一のフレームの第一のフィールドを、第一のフレームから導く。第一のフィールドは、トップフィールド又はボトムフィールドのいずれかにしてよい。デコーダ１０２は、予測的な第一のフレームの第一のフィールドに応じて、現行フレームのトップフィールドを復号し、予測的な第一のフレームの第一のフィールドに応じて、現行フレームのボトムフィールドを復号する。
【００７２】
図２は、本発明の３Ｄビデオ符号化システムの概略ブロック図である。システム２００は、画像の第一のビューと画像の第二の３Dビューとを含む現行３Dビデオ画像を受け入れるために、ライン２０４上に入力を有する、符号化手段の一例としてのエンコーダ２０２を備える。一部の態様において、エンコーダ２０２は、ステレオ画像を受け入れる。エンコーダ２０２は、第一のビューをフレームのトップフィールドとして符号化し、第二のビューをフレームのボトムフィールドとして符号化する。エンコーダ２０２は、トップフィールドがボトムフィールドにインタレースされた現行ビデオフレームを伴うビットストリームを供給するために、ライン１０４上にチャネル接続出力を有する。エンコーダ２０２は、ＭＰＥＧ−２、ＭＰＥＧ−４、又はＨ．２６４のような規格のビットストリームを送信する。
【００７３】
システムの一態様において、エンコーダ２０２は、接続されたレシーバの機能又はチャネル帯域幅の分析といったトリガに対応する２Ｄコマンドを送信する。レシーバ機能の分析は、レシーバ機能の記録を保持するメモリ２１２にアクセスした結果として発生してもよい。例えば、記録は、接続されたレシーバ又はレシーバのグループに３Ｄディスプレイ機能が欠如していることを示してもよい。チャネル帯域幅の分析は、メモリ２１２にアクセスした結果として、或いは帯域幅のリアルタイム測定値を受信した結果として行われてもよい。一部の状況において、帯域幅は、両方のフィールドを伝送するのが非現実的となるほどに小さくなり得る。こうした理由と、可能性のあるその他の理由とにより、エンコーダ２０２は、現行ビューフレームから、フィールドの一方のみを符号化及び送信することを選択してよい。
【００７４】
別の態様において、エンコーダ２０２は、３Ｄビューが利用可能であることを信号で送り、３Ｄビューがインタレースフィールドにどのようにマッピングされるかを説明し、各フィールドの依存性を説明するために、ＳＥＩ  ３Ｄオプションメッセージを送信してもよい。
【００７５】
別の態様において、エンコーダ２０２は、オプションの単一フィールド二次元（２Ｄ）デ符号化をトリガするために、ＳＥＩ  ３Ｄオプションメッセージを現行ビデオフレームと共に送信してもよい。例えば、２Ｄレシーバ機能が見つかった場合、エンコーダ２０２は、ＳＥＩ  ３Ｄオプションメッセージを、フィールドの一方のみと共に、送信してよい。
【００７６】
現行ビデオ画像を受け入れる前に、エンコーダ２０２は、第一のビデオ画像を受け入れ、第一の画像のトップフィールドと、第一の画像のボトムフィールドとを符号化してよい。例えば、第一の画像のトップ及びボトムフィールドは、Ｉフレーム（ＭＰＥＧ）又はＩＤＲピクチャ（Ｈ．２６４）のいずれかを形成するのに使用してもよい。その後、エンコーダ２０４は、第一の画像のトップフィールドに応じて現行フレームのトップフィールドを符号化し、第一のフレームのボトムフィールドに応じて現行フレームのボトムフィールドを符号化する。
【００７７】
また、単一のフィールドを使用して、後続のトップ及びボトムフィールドを生成することが可能である。即ち、エンコーダ２０４は、現行画像を受け入れる前に、第一のビデオ画像を受け入れ、第一の画像の第一のフィールドを符号化してよい。第一の画像の第一のフィールドは、トップ又はボトムフィールドのいずれかにしてよい。その後、エンコーダ２０４は、第一の画像の第一のフィールドに応じて現行フレームのトップフィールドを符号化し、第一の画像の第一のフィールドに応じて現行フレームのボトムフィールドを符号化する。
【００７８】
＜機能の説明＞
図３は、本発明の３Ｄビューフィールドインタレース処理を示している。オプション１は、左右（ステレオ又は３Ｄ）のビューを示している。オプション２は、ビューをコンポジットビデオフレームとして示している。
【００７９】
ステレオビュービデオフレームを別個のフレーム又はコンポジットビデオフレームとして扱う代わりに、本発明は、シーケンスをインタレース済みデータとみなす。例えば、オプション３に例示するように、左ビューピクチャはトップフィールドとなり、右ビューピクチャはボトムフィールドとなる。様々なビデオ符号化規格、例えば、ＭＰＥＧ−２、ＭＰＥＧ−４、及びＨ．２６４その他において、既存のインタレース符号化方法を使用して、インタレース済みビデオフレームを符号化するのは簡単である。こうした規格の使用により、優れた圧縮及びビットストリーム処理が可能となる。
【００８０】
上記のビデオ符号化規格のインタレース符号化方法を使用することで、エンコーダ側での最小限の制約と共に、スケーラブルデ符号化オプションをサポートすることが可能となる。スケーラブルオプションは、少なくとも一方のビュー（又はフィールド）を、他方のビュー（又はフィールド）のビットストリームを参照することなく、独立して復号できることを意味する。このオプションにより、デコーダ及びエンコーダデバイスは、３Ｄディスプレイ機能をサポートしない旧来のデバイスと共に使用することが可能となる。このスケーラブル符号化オプションを可能にするために、全てのピクチャは、フィールドピクチャモードで符号化される。少なくとも一つのフィールド（トップ又はボトムのいずれか）は自己完結型となり、自己完結フィールドに関して、対応するフィールドピクチャは、動き補償の基準として同じパリティを伴う、以前に符号化されたフィールドピクチャのみを使用することができる。
【００８１】
ここで、関連するＨ．２６４符号化ツールについて、非常に簡潔にまとめる。Ｈ．２６４は、最新の国際ビデオ符号化規格である。従来のビデオ符号化方法に関連して、予測の柔軟性及び精度を強化するために、いくつかの新しいフレーム間予測オプションが設計されている。Ｈ．２６４では、相互予測のために多数の基準ピクチャを使用することができる。即ち、二つ以上の事前に符号化されたピクチャを、相互予測の基準として使用できる。インタレース済みデータのより優れた処理を可能にするために、Ｈ．２６４では、フレームピクチャ又は二つのフィールドピクチャとして、ビデオフレームを符号化できる。こうした二つのオプション間での選択は、ピクチャレベル適応フレームフィールド（ＰＡＦＦ）符号化と呼ばれる。この考え方は、マクロブロックレベルに拡張し、マクロブロックレベル適応フレームフィールド（ＭＢＡＦＦ）符号化のオプションを可能にできる。
【００８２】
図４は、符号化性能の比較を例示するグラフである。符号化性能を評価するために、Ｈ．２６４検証モデルＪＭ７．３ソフトウェアを使用して実験を行った。エン符号化パラメータは、五つの基準フレームと、＋／−３２のピクセル動作サーチ範囲と、ＩＰＰＰ（１４Ｐピクチャ前のイントラフレーム）を伴う１５フレームのグループオブピクチャ（ＧＯＰ）と、ＲＤ最適化（ＪＭソフトウェアの符号化オプション）と、ＣＡＶＬＣ（コンテキスト適応可変長符号化――Ｈ．２６４規格のエントロピオプション）と、２８／３２／３６の固定量子化パラメータ（ＱＰ）とである。３００フレームのステレオシーケンスを、以下の三種類の設定で符号化した。
【００８３】
１．全フレーム符号化（図３のオプション２）
２．ＰＡＦＦ符号化（図３のオプション３、基準ピクチャに関する制限なし）
３．スケーラブルフィールド符号化（図３のオプション３、基準ピクチャに関する制限有り）
【００８４】
符号化性能は、図４に表示されている。スケーラブルフィールド符号化（設定＃３）及びＰＡＦＦ符号化（設定＃３）は、本質的に重複する。設定＃２及び設定＃３は、両方とも、設定＃１よりも遙かに優れた符号化性能を有する。格差は、相対的に高品質の側で、約０．８ｄＢである。ピーク信号対雑音比（ＰＳＮＲ）の値が高くなるほど、符号化性能は高くなる。そのため、例えば、設定＃２は、設定＃１よりも優れている（高ビットレート側で０．８ｄＢ）。設定＃２と比較すると、設定＃３は、０．１ｄＢ未満の非常に小さなオーバヘッドを有する。
【００８５】
図５は、３Ｄビデオを受信する本発明の方法を例示するフローチャートである。明確にするために、番号の付いたステップの連続として方法を表しているが、明示的に記載されない限り、番号から順序を推測するべきではない。これらのステップの一部は、省略してよく、並行して実行してよく、或いは連続の厳密な順序を維持する必要を伴わずに実行してよいと理解するべきである。この方法は、ステップ５００で開始される。
【００８６】
ステップ５０２では、二つのインタレースフィールドにより符号化された現行ビデオフレームを伴うビットストリームを受け入れる。例えば、ビットストリームは、ＭＰＥＧ−２、ＭＰＥＧ−４、又はＨ．２６４のような規格である。ステップ５０４では、現行フレームのトップフィールドを復号する。ステップ５０６では、現行フレームのボトムフィールドを復号する。ステップ５０８では、復号済みのトップ及びボトムフィールドを３Ｄフレーム画像として提示する。一部の態様において、ステップ５０８では、復号済みのトップ及びボトムフィールドをステレオビュー画像として提示する。方法の一態様において、ステップ５０３では、２Ｄ選択コマンドを受け入れる。例えば、２Ｄ選択コマンドの受け入れは、補足エンハンスメント情報（ＳＥＩ）メッセージ、ディスプレイ機能の分析、手動選択、又はレシーバのシステム構成のようなトリガに応じて行われてもよい。その後、２Ｄ選択コマンドに応じて、現行フレームのインタレースフィールドの一方のみが使用される。即ち、ステップ５０４又はステップ５０６のいずれかが実行される。表示のように、ステップ５０４が実行される（ステップ５０６は迂回される）。ステップ５１０では、２Ｄフレーム画像を提示する。また、両方のフィールドを復号してもよいが、復号された現行フレームのインタレースフィールドの一方のみを使用することに応じて、ステップ５１０では、２Ｄフレーム画像が提示される。方法の一態様においては、３Ｄ画像の提示（ステップ５０８）と同時に、復号された現行フレームのインタレースフィールドの一方を使用することに応じて、ステップ５１０で２Ｄ画像が提示される。２Ｄ及び３Ｄ画像の同時的な提示は、２Ｄ又は３Ｄビューのいずれかを選択し得ることを意味してもよい。
【００８７】
この方法の別の態様において、ステップ５０３は、図示されないサブステップに分かれる。ステップ５０３ａでは、（ＳＥＩ）３Ｄコンテンツメッセージを、現行ビデオフレームと共に受信する。ステップ５０３ｂでは、ディスプレイ機能を分析する。非３Ｄディスプレイ機能が検出された場合、現行フレームのインタレースフィールドの一方のみが復号される。即ち、ステップ５０４又はステップ５０６のいずれかが実行される。その後、ステップ５１０で、２Ｄフレーム画像が提示される。
【００８８】
別の態様において、ステップ５０３では、３Ｄビューが利用可能であることを信号で送り、３Ｄビューがインタレースフィールドにどのようにマッピングされるかを説明し、各フィールドの依存性を説明するために、ＳＥＩ  ３Ｄオプションメッセージを受け入れる。別の態様において、ステップ５０１ａでは、現行フレームを受け入れる前に、第一の符号化済みビデオフレームを受け入れる。ステップ５０１ｂでは、予測的な第一のフレームのトップフィールドを導く。ステップ５０１ｃでは、予測的な第一のフレームのボトムフィールドを導く。その後、現行フレームのトップフィールドを復号するステップ（ステップ５０４）は、予測的な第一のフレームのトップフィールドに応じて、現行フレームのトップフィールドを復号するステップを含む。同様に、現行フレームのボトムフィールドを復号するステップ（ステップ５０６）は、予測的な第一のフレームのボトムフィールドに応じて、現行フレームのボトムフィールドを復号するステップを含む。
【００８９】
また、図示されていないが、ステップ５０１ｂでは、トップフィールド又はボトムフィールドのいずれかである、予測的な第一のフレームの第一のフィールドを導く。この態様において、ステップ５０１ｃは迂回される。その後、ステップ５０４では、予測的な第一のフレームの第一のフィールドに応じて、現行フレームのトップフィールドを復号する。ステップ５０６では、予測的な第一のフレームの第一のフィールドに応じて、現行フレームのボトムフィールドを復号する。
【００９０】
図６は、３Ｄビデオを符号化する本発明の方法を例示するフローチャートである。この方法は、ステップ６００で開始される。ステップ６０２では、画像の第一のビュー及び画像の第二の３Ｄビューを含む現行３Ｄビデオ画像を受け入れる。一態様において、ステップ６０２では、ステレオ画像の第一及び第二のビューを受け入れる。ステップ６０４では、第一のビューをフレームのトップフィールドとして符号化する。ステップ６０６では、第二のビューをフレームのボトムフィールドとして符号化する。ステップ６０８では、トップフィールドがボトムフィールドにインタレースされた現行ビデオフレームを伴うビットストリームを、チャネルへ送信する。例えば、ステップ６０８では、ＭＰＥＧ−２、ＭＰＥＧ−４、又はＩＴＵ−Ｔ  Ｈ．２６４のような規格でビットストリームを送信する。
【００９１】
一態様において、ステップ６０７では、レシーバ機能又はチャネル帯域幅の分析といったトリガに対応する２Ｄコマンドを受け入れる。その後、ステップ６１０では、２Ｄコマンドをレシーバに送信する。一態様において、ステップ６１０では、オプションの単一フィールド二次元（２Ｄ）デ符号化をトリガするために、補足エンハンスメント情報（ＳＥＩ）３Ｄオプションメッセージを現行ビデオフレームと共に送信する。別の態様では、ステップ６１０において２Ｄコマンドが送信された場合、ステップ６１２では、現行ビューフレームからのフィールドの一方のみを送信する。
【００９２】
一態様において、ステップ６０１ａでは、現行ビデオ画像を受け入れる前に、第一のビデオ画像を受け入れる。ステップ６０１ｂでは、第一の画像のトップフィールドを符号化する。ステップ６０１ｃでは、第一の画像のボトムフィールドを符号化する。例えば、ＭＰＥＧ規格の送信では、Ｉフレームを符号化してよい。その後、ステップ６０４では、第一の画像のトップフィールドに応じて、現行フレームのトップフィールドを符号化し、ステップ６０６では、第一の画像のボトムフィールドに応じて、現行フレームのボトムフィールドを符号化する。
【００９３】
また、ステップ６０１ｂでは、トップフィールド又はボトムフィールドのいずれかである、第一の画像の第一のフィールドを符号化し、ステップ６０１ｃは迂回される。その後、ステップ６０４では、第一の画像の第一のフィールドに応じて、現行フレームのトップフィールドを符号化し、ステップ６０６では、第一の画像の第一のフィールドに応じて、現行フレームのボトムフィールドを符号化する。
【００９４】
３Ｄ符号化及び復号のためのシステム及び方法を提示した。処理が２Ｄアプリケーション用にどのようにスケーリングされるかについて、例を提供した。更に、予測符号化により処理をどのように有効にし得るかについて、例を提供した。しかしながら、本発明は、こうした例のみに限定されない。本発明のその他のバリエーション及び実施形態は、当業者により想到されよう。
【符号の説明】
【００９５】
１０２…デコーダ、１０６…復号済みフィールド、１０８…ディスプレイ、１１０…２Ｄ決定ユニット、１１２…２Ｄ選択コマンド、２０２…エンコーダ。
【図１】
2010220221.tif 000003
【図２】
2010220221.tif 000004
【図３】
2010220221.tif 000005
【図４】
2010220221.tif 000006
【図５】
2010220221.tif 000007
【図６】
2010220221.tif 000008
【手続補正書】
【提出日】平成22年4月22日(2010.4.22)
【手続補正１】
【補正対象書類名】特許請求の範囲
【補正対象項目名】全文
【補正方法】変更
【補正の内容】
【特許請求の範囲】
【請求項１】
三次元ビデオを受信する三次元ビデオ受信方法において、
フィールド予測符号化されたビデオフレームのビットストリームとともに、その符号化に関する情報を含むメッセージを受信する受信ステップと、
前記受信ステップで受信するビットストリームにおいて、同じビデオフレームを構成するトップフィールドとボトムフィールドのそれぞれ、もしくはそのいずれかを復号する復号ステップと、
前記復号ステップで受信したビットストリームを復号した結果を提示する提示ステップと、
前記メッセージがスケーラブル復号オプションを示す情報を含む場合に、該メッセージを受信したことをトリガにして、受信したビットストリームの提示の方法を決定するための分析を行う分析ステップとを含み、
前記メッセージがインタレースフィールドにどのようにマッピングされるかを示すマッピング情報を含む時は、前記復号ステップは、前記分析ステップの分析結果に応じて、該メッセージのマッピング情報を用いて前記ビットストリームの復号を行う
ことを特徴とする三次元ビデオ受信方法。
【請求項２】
前記復号ステップは、第１のフレームのトップフィールド、もしくはボトムフィールドのいずれか一方のフィールドからの予測を用いて現行フレームのトップフィールド、及びボトムフィールドを復号することを特徴とする請求項１に記載の三次元ビデオ受信方法。
【請求項３】
三次元ビデオを受信する三次元ビデオ受信装置において、
フィールド予測符号化されたビデオフレームのビットストリームとともに、その符号化に関する情報を含むメッセージを受信する受信手段と、
前記受信手段で受信するビットストリームにおいて、同じビデオフレームを構成するトップフィールドとボトムフィールドのそれぞれ、もしくはそのいずれかを復号する復号手段と、
前記復号手段で受信したビットストリームを復号した結果を提示する提示手段と、
前記メッセージがスケーラブル復号オプションを示す情報を含む場合に、該メッセージを受信したことをトリガにして、受信したビットストリームの提示の方法を決定するための分析を行う分析手段とを有し、
前記メッセージがインタレースフィールドにどのようにマッピングされるかを示すマッピング情報を含む時は、前記復号手段は、前記分析手段での分析結果に応じて、該メッセージのマッピング情報を用いて前記ビットストリームの復号を行う
ことを特徴とする三次元ビデオ受信装置。
【請求項４】
前記復号手段は、第１のフレームのトップフィールド、もしくはボトムフィールドのいずれか一方のフィールドからの予測を用いて現行フレームのトップフィールド、及びボトムフィールドを復号することを特徴とする請求項１に記載の三次元ビデオ受信装置。
【手続補正２】
【補正対象書類名】明細書
【補正対象項目名】０００６
【補正方法】変更
【補正の内容】
【０００６】
本発明は、上述のごとき課題を解決するために、以下の各技術手段により構成される。
第１の技術手段は、三次元ビデオを受信する三次元ビデオ受信方法において、フィールド予測符号化されたビデオフレームのビットストリームとともに、その符号化に関する情報を含むメッセージを受信する受信ステップと、前記受信ステップで受信するビットストリームにおいて、同じビデオフレームを構成するトップフィールドとボトムフィールドのそれぞれ、もしくはそのいずれかを復号する復号ステップと、前記復号ステップで受信したビットストリームを復号した結果を提示する提示ステップと、前記メッセージがスケーラブル復号オプションを示す情報を含む場合に、該メッセージを受信したことをトリガにして、受信したビットストリームの提示の方法を決定するための分析を行う分析ステップとを含み、前記メッセージがインタレースフィールドにどのようにマッピングされるかを示すマッピング情報を含む時は、前記復号ステップは、前記分析ステップの分析結果に応じて、該メッセージのマッピング情報を用いて前記ビットストリームの復号を行うことを特徴としたものである。
【手続補正３】
【補正対象書類名】明細書
【補正対象項目名】０００７
【補正方法】変更
【補正の内容】
【０００７】
第２の技術手段は、第１の技術手段において、前記復号するステップは、第１のフレームのトップフィールド、もしくはボトムフィールドのいずれか一方のフィールドからの予測を用いて現行フレームのトップフィールド、及びボトムフィールドを復号することを特徴としたものである。
【手続補正４】
【補正対象書類名】明細書
【補正対象項目名】０００８
【補正方法】変更
【補正の内容】
【０００８】
第３の技術手段は、三次元ビデオを受信する三次元ビデオ受信装置において、フィールド予測符号化されたビデオフレームのビットストリームとともに、その符号化に関する情報を含むメッセージを受信する受信手段と、前記受信手段で受信するビットストリームにおいて、同じビデオフレームを構成するトップフィールドとボトムフィールドのそれぞれ、もしくはそのいずれかを復号する復号手段と、前記復号手段で受信したビットストリームを復号した結果を提示する提示手段と、前記メッセージがスケーラブル復号オプションを示す情報を含む場合に、該メッセージを受信したことをトリガにして、受信したビットストリームの提示の方法を決定するための分析を行う分析手段とを有し、前記メッセージがインタレースフィールドにどのようにマッピングされるかを示すマッピング情報を含む時は、前記復号手段は、前記分析手段での分析結果に応じて、該メッセージのマッピング情報を用いて前記ビットストリームの復号を行うことを特徴としたものである。
【手続補正５】
【補正対象書類名】明細書
【補正対象項目名】０００９
【補正方法】変更
【補正の内容】
【０００９】
第４の技術手段は、第３の技術手段において、前記復号手段は、第１のフレームのトップフィールド、もしくはボトムフィールドのいずれか一方のフィールドからの予測を用いて現行フレームのトップフィールド、及びボトムフィールドを復号することを特徴としたものである。
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】削除
【補正の内容】
【手続補正８】
【補正対象書類名】明細書
【補正対象項目名】００１２
【補正方法】削除
【補正の内容】
【手続補正９】
【補正対象書類名】明細書
【補正対象項目名】００１３
【補正方法】削除
【補正の内容】
【手続補正１０】
【補正対象書類名】明細書
【補正対象項目名】００１４
【補正方法】削除
【補正の内容】
【手続補正１１】
【補正対象書類名】明細書
【補正対象項目名】００１５
【補正方法】削除
【補正の内容】
【手続補正１２】
【補正対象書類名】明細書
【補正対象項目名】００１６
【補正方法】削除
【補正の内容】
【手続補正１３】
【補正対象書類名】明細書
【補正対象項目名】００１７
【補正方法】削除
【補正の内容】
【手続補正１４】
【補正対象書類名】明細書
【補正対象項目名】００１８
【補正方法】削除
【補正の内容】
【手続補正１５】
【補正対象書類名】明細書
【補正対象項目名】００１９
【補正方法】削除
【補正の内容】
【手続補正１６】
【補正対象書類名】明細書
【補正対象項目名】００２０
【補正方法】削除
【補正の内容】
【手続補正１７】
【補正対象書類名】明細書
【補正対象項目名】００２１
【補正方法】削除
【補正の内容】
【手続補正１８】
【補正対象書類名】明細書
【補正対象項目名】００２２
【補正方法】削除
【補正の内容】
【手続補正１９】
【補正対象書類名】明細書
【補正対象項目名】００２３
【補正方法】削除
【補正の内容】
【手続補正２０】
【補正対象書類名】明細書
【補正対象項目名】００２４
【補正方法】削除
【補正の内容】
【手続補正２１】
【補正対象書類名】明細書
【補正対象項目名】００２５
【補正方法】削除
【補正の内容】
【手続補正２２】
【補正対象書類名】明細書
【補正対象項目名】００２６
【補正方法】削除
【補正の内容】
【手続補正２３】
【補正対象書類名】明細書
【補正対象項目名】００２７
【補正方法】削除
【補正の内容】
【手続補正２４】
【補正対象書類名】明細書
【補正対象項目名】００２８
【補正方法】削除
【補正の内容】
【手続補正２５】
【補正対象書類名】明細書
【補正対象項目名】００２９
【補正方法】削除
【補正の内容】
【手続補正２６】
【補正対象書類名】明細書
【補正対象項目名】００３０
【補正方法】削除
【補正の内容】
【手続補正２７】
【補正対象書類名】明細書
【補正対象項目名】００３１
【補正方法】削除
【補正の内容】
【手続補正２８】
【補正対象書類名】明細書
【補正対象項目名】００３２
【補正方法】削除
【補正の内容】
【手続補正２９】
【補正対象書類名】明細書
【補正対象項目名】００３３
【補正方法】削除
【補正の内容】
【手続補正３０】
【補正対象書類名】明細書
【補正対象項目名】００３４
【補正方法】削除
【補正の内容】
【手続補正３１】
【補正対象書類名】明細書
【補正対象項目名】００３５
【補正方法】削除
【補正の内容】
【手続補正３２】
【補正対象書類名】明細書
【補正対象項目名】００３６
【補正方法】削除
【補正の内容】
【手続補正３３】
【補正対象書類名】明細書
【補正対象項目名】００３７
【補正方法】削除
【補正の内容】
【手続補正３４】
【補正対象書類名】明細書
【補正対象項目名】００３８
【補正方法】削除
【補正の内容】
【手続補正３５】
【補正対象書類名】明細書
【補正対象項目名】００３９
【補正方法】削除
【補正の内容】
【手続補正３６】
【補正対象書類名】明細書
【補正対象項目名】００４０
【補正方法】削除
【補正の内容】
【手続補正３７】
【補正対象書類名】明細書
【補正対象項目名】００４１
【補正方法】削除
【補正の内容】
【手続補正３８】
【補正対象書類名】明細書
【補正対象項目名】００４２
【補正方法】削除
【補正の内容】
【手続補正３９】
【補正対象書類名】明細書
【補正対象項目名】００４３
【補正方法】削除
【補正の内容】
【手続補正４０】
【補正対象書類名】明細書
【補正対象項目名】００４４
【補正方法】削除
【補正の内容】
【手続補正４１】
【補正対象書類名】明細書
【補正対象項目名】００４５
【補正方法】削除
【補正の内容】
【手続補正４２】
【補正対象書類名】明細書
【補正対象項目名】００４６
【補正方法】削除
【補正の内容】
【手続補正４３】
【補正対象書類名】明細書
【補正対象項目名】００４７
【補正方法】削除
【補正の内容】
【手続補正４４】
【補正対象書類名】明細書
【補正対象項目名】００４８
【補正方法】削除
【補正の内容】
【手続補正４５】
【補正対象書類名】明細書
【補正対象項目名】００４９
【補正方法】削除
【補正の内容】
【手続補正４６】
【補正対象書類名】明細書
【補正対象項目名】００５０
【補正方法】削除
【補正の内容】
【手続補正４７】
【補正対象書類名】明細書
【補正対象項目名】００５１
【補正方法】削除
【補正の内容】
【手続補正４８】
【補正対象書類名】明細書
【補正対象項目名】００５２
【補正方法】削除
【補正の内容】
【手続補正４９】
【補正対象書類名】明細書
【補正対象項目名】００５３
【補正方法】削除
【補正の内容】
【手続補正５０】
【補正対象書類名】明細書
【補正対象項目名】００５４
【補正方法】削除
【補正の内容】
【手続補正５１】
【補正対象書類名】明細書
【補正対象項目名】００５５
【補正方法】削除
【補正の内容】
【手続補正５２】
【補正対象書類名】明細書
【補正対象項目名】００５６
【補正方法】削除
【補正の内容】
【手続補正５３】
【補正対象書類名】明細書
【補正対象項目名】００５７
【補正方法】削除
【補正の内容】
【手続補正５４】
【補正対象書類名】明細書
【補正対象項目名】００５９
【補正方法】変更
【補正の内容】
【００５９】
本発明は、３Ｄビデオフレームをインタレース済みデータとして扱う。そのため、３Ｄビューは、より優れた圧縮を可能にするＨ．２６４におけるもの等、既存のインタレース符号化方法を使用して符号化できる。更に、本発明は、エンコーダ側での最小限の制約と共に、スケーラブル符号化（二次元ビュー）機能をサポートする。スケーラブル復号化オプションは、例えば、単純なＳＥＩメッセージにおいて信号を送ることができる。
【手続補正５５】
【補正対象書類名】明細書
【補正対象項目名】００７５
【補正方法】変更
【補正の内容】
【００７５】
別の態様において、エンコーダ２０２は、オプションの単一フィールド二次元（２Ｄ）復号化をトリガするために、ＳＥＩ  ３Ｄオプションメッセージを現行ビデオフレームと共に送信してもよい。例えば、２Ｄレシーバ機能が見つかった場合、エンコーダ２０２は、ＳＥＩ  ３Ｄオプションメッセージを、フィールドの一方のみと共に、送信してよい。
【手続補正５６】
【補正対象書類名】明細書
【補正対象項目名】００８０
【補正方法】変更
【補正の内容】
【００８０】
上記のビデオ符号化規格のインタレース符号化方法を使用することで、エンコーダ側での最小限の制約と共に、スケーラブル復号化オプションをサポートすることが可能となる。スケーラブルオプションは、少なくとも一方のビュー（又はフィールド）を、他方のビュー（又はフィールド）のビットストリームを参照することなく、独立して復号できることを意味する。このオプションにより、デコーダ及びエンコーダデバイスは、３Ｄディスプレイ機能をサポートしない旧来のデバイスと共に使用することが可能となる。このスケーラブル符号化オプションを可能にするために、全てのピクチャは、フィールドピクチャモードで符号化される。少なくとも一つのフィールド（トップ又はボトムのいずれか）は自己完結型となり、自己完結フィールドに関して、対応するフィールドピクチャは、動き補償の基準として同じパリティを伴う、以前に符号化されたフィールドピクチャのみを使用することができる。
【手続補正５７】
【補正対象書類名】明細書
【補正対象項目名】００８４
【補正方法】変更
【補正の内容】
【００８４】
符号化性能は、図４に表示されている。スケーラブルフィールド符号化（設定＃３）及びＰＡＦＦ符号化（設定＃２）は、本質的に重複する。設定＃２及び設定＃３は、両方とも、設定＃１よりも遙かに優れた符号化性能を有する。格差は、相対的に高品質の側で、約０．８ｄＢである。ピーク信号対雑音比（ＰＳＮＲ）の値が高くなるほど、符号化性能は高くなる。そのため、例えば、設定＃２は、設定＃１よりも優れている（高ビットレート側で０．８ｄＢ）。設定＃２と比較すると、設定＃３は、０．１ｄＢ未満の非常に小さなオーバヘッドを有する。
【手続補正５８】
【補正対象書類名】明細書
【補正対象項目名】００９１
【補正方法】変更
【補正の内容】
【００９１】
一態様において、ステップ６０７では、レシーバ機能又はチャネル帯域幅の分析といったトリガに対応する２Ｄコマンドを受け入れる。その後、ステップ６１０では、２Ｄコマンドをレシーバに送信する。一態様において、ステップ６１０では、オプションの単一フィールド二次元（２Ｄ）復号化をトリガするために、補足エンハンスメント情報（ＳＥＩ）３Ｄオプションメッセージを現行ビデオフレームと共に送信する。別の態様では、ステップ６１０において２Ｄコマンドが送信された場合、ステップ６１２では、現行ビューフレームからのフィールドの一方のみを送信する。
【手続補正書】
【提出日】平成22年5月28日(2010.5.28)
【手続補正１】
【補正対象書類名】特許請求の範囲
【補正対象項目名】全文
【補正方法】変更
【補正の内容】
【特許請求の範囲】
【請求項１】
第１の視点の画像であるトップフィールド、及び第２の視点の画像であるボトムフィールドが２つのインタレースフィールドとして符号化されたビデオフレームをともなうビットストリームを受け入れる受け入れステップと、
前記受け入れステップで受け入れたビットストリームにともなう第１のビデオフレームのトップフィールド、もしくはボトムフィールドのいずれかを復号して第１のフィールドを導くステップと、
前記受け入れステップで受け入れたビットストリームにともなう現行ビデオフレームのトップフィールドを前記第１のフィールドを参照して復号するステップと、
前記受け入れステップで受け入れたビットストリームにともなう現行ビデオフレームのボトムフィールドを前記第１のフィールドを参照して復号するステップと
を含むことを特徴とする三次元ビデオ復号方法。
【請求項２】
第１の視点の画像であるトップフィールド、及び第２の視点の画像であるボトムフィールドが２つのインタレースフィールドとして符号化されたビデオフレームをともなうビットストリームを受け入れる受け入れ手段と、
前記受け入れ手段で受け入れたビデオストリームのビデオフレームを復号する復号手段とを備え、
前記復号手段は、
前記受け入れ手段で受け入れたビットストリームにともなう第１のビデオフレームのトップフィールド、もしくはボトムフィールドのいずれかを復号した第１のフィールドを導き、
前記受け入れ手段で受け入れたビットストリームにともなう現行ビデオフレームのトップフィールドを前記第１のフィールドを参照して復号し、
前記受け入れ手段で受け入れたビットストリームにともなう現行ビデオフレームのボトムフィールドを前記第１のフィールドを参照して復号する
ことを特徴とする三次元ビデオ復号装置。
【手続補正２】
【補正対象書類名】明細書
【補正対象項目名】０００６
【補正方法】変更
【補正の内容】
【０００６】
本発明は、上述のごとき課題を解決するために、以下の各技術手段により構成される。
第１の技術手段は、第１の視点の画像であるトップフィールド、及び第２の視点の画像であるボトムフィールドが２つのインタレースフィールドとして符号化されたビデオフレームをともなうビットストリームを受け入れる受け入れステップと、前記受け入れステップで受け入れたビットストリームにともなう第１のビデオフレームのトップフィールド、もしくはボトムフィールドのいずれかを復号して第１のフィールドを導くステップと、前記受け入れステップで受け入れたビットストリームにともなう現行ビデオフレームのトップフィールドを前記第１のフィールドを参照して復号するステップと、前記受け入れステップで受け入れたビットストリームにともなう現行ビデオフレームのボトムフィールドを前記第１のフィールドを参照して復号するステップとを含むことを特徴とした三次元ビデオ復号方法である。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
第２の技術手段は、第１の視点の画像であるトップフィールド、及び第２の視点の画像であるボトムフィールドが２つのインタレースフィールドとして符号化されたビデオフレームをともなうビットストリームを受け入れる受け入れ手段と、前記受け入れ手段で受け入れたビデオストリームのビデオフレームを復号する復号手段とを備え、前記復号手段は、前記受け入れ手段で受け入れたビットストリームにともなう第１のビデオフレームのトップフィールド、もしくはボトムフィールドのいずれかを復号した第１のフィールドを導き、前記受け入れ手段で受け入れたビットストリームにともなう現行ビデオフレームのトップフィールドを前記第１のフィールドを参照して復号し、前記受け入れ手段で受け入れたビットストリームにともなう現行ビデオフレームのボトムフィールドを前記第１のフィールドを参照して復号することを特徴とした三次元ビデオ復号装置である。
【手続補正５】
【補正対象書類名】明細書
【補正対象項目名】０００９
【補正方法】削除
【補正の内容】